(57)【要約】【課題】全体の大きさや形状を簡単に換えることができ、さらに、複数のものを連結してさらに大きなものを容易に構築することができる簡易フェンスを提供する。【解決手段】略長方形状のシート状に形成され、床面Ｆに載せられる下端部１１と、下端部１１に対向する上端部１２と、上端部１２及び下端部１１のそれぞれの一方の端縁を上下方向に連結する始端部１３と、それぞれの他方の端縁を上下方向に連結する終端部１４とを有するフェンス本体１０と、下端部１１に沿って配置されてフェンス本体１０の形状を保持する屈曲可能な下保持部材２１と、上端部１２に沿って配置されてフェンス本体１０の形状を保持する屈曲可能な上保持部材２２と、始端部１３と終端部１４とに配置され、始端部１３と終端部１４とを連結してフェンス本体１０により閉空間を構成する係脱可能な連結機構３０と、を備える。【選択図】図１
2012213461.tif 000002
【特許請求の範囲】
【請求項１】
載置面に立てられて所定の領域を囲う簡易フェンスにおいて、
伸長状態において略長方形状のシート状に形成され、前記載置面に載せられる下端部と、前記下端部の上方に配置されて前記下端部に対向する上端部と，前記上端部及び前記下端部のそれぞれの一方の端縁を上下方向に連結する始端部と、前記上端部及び前記下端部のそれぞれの他方の端縁を上下方向に連結する終端部とを有するフェンス本体と、
前記下端部に沿って配置されて前記フェンス本体の形状を保持する屈曲可能な下保持部材と、
前記上端部に沿って配置されて前記フェンス本体の形状を保持する屈曲可能な上保持部材と、
前記始端部と前記終端部とに配置され、前記始端部と前記終端部とを連結して前記フェンス本体により閉空間を構成する係脱可能な連結機構と、を備えた、
ことを特徴とする簡易フェンス。
【請求項２】
前記フェンス本体の前記下端部及び前記上端部に沿った方向を長さ方向としたときに、前記フェンス本体は、前記下端部と前記上端部とに、前記下端部及び前記上端部を折り返して形成されるとともに前記長さ方向に貫通されて前記下保持部材及び前記上保持部材の挿脱が可能な下折り返し部及び上折り返し部を有する、
ことを特徴とする請求項１に記載の簡易フェンス。
【請求項３】
前記フェンス本体の前記始端部及び前記終端部に沿った方向を高さ方向としたときに、前記フェンス本体は、前記長さ方向の異なる位置のそれぞれに前記フェンス本体の一部を折り返して形成されて上下方向に延びるプリーツ部を有する、
ことを特徴とする請求項２に記載の簡易フェンス。
【請求項４】
前記プリーツ部は、上下方向に貫通されて支柱の挿脱が可能な筒状に形成されている、
ことを特徴とする請求項３に記載の簡易フェンス。
【請求項５】
前記フェンス本体は、展開状態ではシート状となる１枚のシート状部材の一部を折り返して接合することにより、前記下折り返し部、前記上折り返し部、前記プリーツ部が形成されている、
ことを特徴とする請求項４に記載の簡易フェンス。
【請求項６】
前記接合は、縫合、熱溶着、接着のいずれかで行われている、
ことを特徴とする請求項５に記載の簡易フェンス。
【請求項７】
前記連結機構が、前記フェンス本体の前記始端部と前記終端部とのうちの一方に設けられた面ファスナの凸側と、他方に設けられた面ファスナの凹側とによって構成されている、
ことを特徴とする請求項１ないし６のいずれか１項に記載の簡易フェンス。
【請求項８】
前記フェンス本体は、前記下端部を上方に折り返して形成されたポケット部を有する、
ことを特徴とする請求項１ないし７のいずれか１項に記載の簡易フェンス。
【請求項９】
前記フェンス本体は、高さが３０〜５０ｃｍである、
ことを特徴とする請求項１ないし８のいずれか１項に記載の簡易フェンス。
【発明の詳細な説明】
【技術分野】
【０００１】
本発明は、例えば、被災時に避難所となる学校の体育館等で簡単に使用することができる簡易フェンスに関する。
【背景技術】
【０００２】
地震、津波、火災等の災害で家を失った多くの人々は、学校の教室や体育館等での避難所生活を余儀なくされる。
【０００３】
避難所では、毛布や布団、身の回りのものといった必要最小限のものを持って家族単位で食事や睡眠を取ることになる。
【０００４】
こういった避難所生活では、１つの平らなフロアーで多くの家族が共同生活を営むため、お互いに視線をさえぎるものがなく、個人のプライバシーを守ることは殆ど困難である。
【０００５】
このような場合に、最小限のプライバシーを守ることができる簡易ついたてが提案されている（例えば、特許文献１参照）。
【０００６】
このものは、幅（高さ）４０ｃｍ程の段ボールに似た巻き紙を解いて所定に長さに切断し、略四角形に屈曲させて、体育館等の床面に立てた後、両端部をクリップで留めることで、閉じた四角形の空間を形成するものである。
【先行技術文献】
【特許文献】
【０００７】
【特許文献１】特開平６−６２９４２号公報
【発明の概要】
【発明が解決しようとする課題】
【０００８】
しかしながら、上述の特許文献１のものは、例えば、睡眠時の寝姿が見えない等の最低限のプライバシーは確保できるものの、全体の大きさや形状を変えたり、複数のものを連結してさらに大きいものを構築したりするのが難しいという問題があった。
【０００９】
そこで、本発明は、全体の大きさや形状を簡単に換えることができ、さらに、複数のものを連結してさらに大きなものを容易に構築することができる簡易フェンスを提供することを目的とする。
【課題を解決するための手段】
【００１０】
請求項１に係る発明は、載置面に立てられて所定の領域を囲う簡易フェンスにおいて、伸長状態において略長方形状のシート状に形成され、前記載置面に載せられる下端部と、前記下端部の上方に配置されて前記下端部に対向する上端部と、前記上端部及び前記下端部のそれぞれの一方の端縁を上下方向に連結する始端部と、前記上端部及び前記下端部のそれぞれの他方の端縁を上下方向に連結する終端部とを有するフェンス本体と、前記下端部に沿って配置されて前記フェンス本体の形状を保持する屈曲可能な下保持部材と、前記上端部に沿って配置されて前記フェンス本体の形状を保持する屈曲可能な上保持部材と、前記始端部と前記終端部とに配置され、前記始端部と前記終端部とを連結して前記フェンス本体により閉空間を構成する係脱可能な連結機構と、を備えた、ことを特徴とする。
【００１１】
請求項２に係る発明は、請求項１に係る簡易フェンスにおいて、前記フェンス本体の前記下端部及び前記上端部に沿った方向を長さ方向としたときに、前記フェンス本体は、前記下端部と前記上端部とに、前記下端部及び前記上端部を折り返して形成されるとともに前記長さ方向に貫通されて前記下保持部材及び前記上保持部材の挿脱が可能な下折り返し部及び上折り返し部を有する、ことを特徴とする。
【００１２】
請求項３に係る発明は、請求項２に係る簡易フェンスにおいて、前記フェンス本体の前記始端部及び前記終端部に沿った方向を高さ方向としたときに、前記フェンス本体は、前記長さ方向の異なる位置のそれぞれに前記フェンス本体の一部を折り返して形成されて上下方向に延びるプリーツ部を有する、ことを特徴とする。
【００１３】
請求項４に係る発明は、請求項３に記載の簡易フェンスにおいて、前記プリーツ部は、上下方向に貫通されて支柱の挿脱が可能な筒状に形成されている、ことを特徴とする。
【００１４】
請求項５に係る発明は、請求項４に係る簡易フェンスにおいて、前記フェンス本体は、展開状態ではシート状となる１枚のシート状部材の一部を折り返して接合することにより、前記下折り返し部、前記上折り返し部、前記プリーツ部が形成されている、ことを特徴とする。
【００１５】
請求項６に係る発明は、請求項５に係る簡易フェンスにおいて、前記接合は、縫合、熱溶着、接着のいずれかで行われている、ことを特徴とする。
【００１６】
請求項７に係る発明は、請求項１ないし６のいずれか１項に係る簡易フェンスにおいて、前記連結機構が、前記フェンス本体の前記始端部と前記終端部とのうちの一方に設けられた面ファスナの凸側と、他方に設けられた面ファスナの凹側とによって構成されている、ことを特徴とする。
【００１７】
請求項８に係る発明は、請求項１ないし７のいずれか１項に係る簡易フェンスにおいて、前記フェンス本体は、前記下端部を上方に折り返して形成されたポケット部を有する、ことを特徴とする。
【００１８】
請求項９に係る発明は、請求項１ないし８のいずれか１項に係る簡易フェンスにおいて、前記フェンス本体は、高さが３０〜５０ｃｍである、ことを特徴とする。
【発明の効果】
【００１９】
請求項１の発明によれば、フェンス本体がシート状に形成され、また、フェンス本体の下端部及び上端部の下保持部材及び上保持部材が屈曲可能であり、また、連結機構によって連結することができるので、全体の形状を、例えば、円形、四角形等の任意の閉じた形状に構成することができる。また、一旦、構成した形状や大きさを簡単に変更することができる。さらに、連結機構を利用して複数の簡易フェンスを連結することで、大きな形状を容易に構成することができる。
【００２０】
請求項２の発明によれば、下保持部材及び上保持部材は、下折り返し部及び上折り返し部に対して挿脱可能であるので、簡易フェンスを収納する際には、下保持部材及び上保持部材を引き抜いて、シート状のフェンス本体を小さく折り畳んだり丸めたりすることができる。一方、簡易フェンスを構成する際には、下保持部材及び上保持部材を下折り返し部及び上折り返し部に挿入することで、容易に簡易フェンスを構成することができる。
【００２１】
請求項３の発明によれば、プリーツ部が、シート状のフェンス本体の補強部分として作用してフェンス本体の形状の保持の助けとなる。
【００２２】
請求項４の発明によれば、筒状のプリーツ部に、例えば、支柱を挿入することにより、簡易フェンス全体の形状を一層確実に保持することが可能となる。
【００２３】
請求項５の発明によれば、フェンス本体は、１枚のシート状部材の一部を折り返したり接合したりすることで、下折り返し部、上折り返し部、プリーツ部を形成することができるので、複数のシート状部材を組み合わせて製造する場合と比較して、製造が容易である。
【００２４】
請求項６の発明によれば、接合は、フェンス本体の材質に応じて、縫合、熱溶着、接着のうちから適宜に選択することができる。
【００２５】
請求項７の発明によれば、連結機構が凸側と凹側とからなる面ファスナによって構成されているので、その係脱（着脱）が容易であり、また、不使用時にフェンス本体を折り畳んだり丸めたりした際に邪魔になりにくい。
【００２６】
請求項８の発明によれば、ポケット部を設けることで、このポケットに身の回りのものを収納することにより、全体の整理がつく。
【００２７】
請求項９の発明によれば、フェンス本体の高さを３０〜５０ｃｍにすることにより、例えば、簡易フェンスの内側で横になったときの視線をさえぎることができ、また、簡易フェンスの内側から外側、またその逆に外側から内側に移動する際には、フェンス本体の上を比較的容易に跨ぐことができる。
【図面の簡単な説明】
【００２８】
【図１】（Ａ）は、下折り返し部１５及び上折り返し部１６が展開された状態で、さらに、全体が伸長された状態の簡易フェンス１を内面（表面）Ａ側から見た正面図であり、（Ｂ）は、完成（仕上がり）状態の簡易フェンス１を伸長した状態を内面Ａ側から見た正面図であり、（Ｃ）は、簡易フェンス１を２枚連結して大きなフェンスを構成した使用例を説明する斜視図である。
【００２９】
【図２】（Ａ）は、下折り返し部１５及び上折り返し部１６が展開された状態で、さらに、全体が伸長された状態の簡易フェンス２を内面（表面）Ａ側から見た正面図であり、（Ｂ）は、完成（仕上がり）状態の簡易フェンス２の伸長した状態を内面Ａ側から見た正面図であり、（Ｃ）は、簡易フェンス２の上面図であり、（Ｄ）は、簡易フェンス２を２枚連結して大きなフェンスを構成した使用例を説明する斜視図である。
【００３０】
【図３】（Ａ）は、２枚の簡易フェンス２で形成したフェンスの上方の開口部を、シート状のカバー４２で閉鎖する状態を説明する図であり、（Ｂ）は、開口部全体をカバー４２で閉鎖した状態を説明する図であり、（Ｃ）は、カバー４２の一部をまくりあげて、開口部の一部を開放した状態を説明する図である。
【００３１】
【図４】プリーツ部１８の使用例を説明する図である。
【００３２】
【図５】（Ａ）は、下折り返し部１５及び上折り返し部１６が展開された状態で、さらに、全体が伸長された状態の簡易フェンス３を内面（表面）Ａ側から見た正面図であり、（Ｂ）は、完成（仕上がり）状態の簡易フェンス３の伸長した状態を内面Ａ側から見た正面図であり、（Ｃ）は、簡易フェンス３の上面図であり、（Ｄ）は、簡易フェンス３を２枚連結して大きなフェンスを構成した使用例を説明する斜視図であり、（Ｅ）は、ハトメ１７に紐等を用いて書類Ｇ１等を吊るした例を示す図であり、（Ｆ）は、ポケット部１９に書類Ｇ２等を収納した例を示す図である。
【００３３】
【図６】簡易フェンス２Ａの使用例を説明する図である。
【発明を実施するための形態】
【００３４】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００３５】
図１を参照して、本発明を適用した実施形態１に係る簡易フェンス１について説明する。ここで、図１（Ａ）は、下折り返し部１５及び上折り返し部１６が展開された状態で、さらに、全体が伸長された状態の簡易フェンス１を内面（表面）Ａ側から見た正面図である。つまり、図１（Ａ）の簡易フェンス１は、下折り返し部１５及び上折り返し部１６が未完成な半製品である。図１（Ｂ）は、完成（仕上がり）状態の簡易フェンス１を伸長した状態を内面Ａ側から見た正面図である。ただし、同図では、下折り返し部１５に収納された下保持部材２１、及び上折り返し部１６に収納された上保持部材２２を太い実線で図示している。図１（Ｃ）は、簡易フェンス１を２枚連結して大きなフェンスを構成した使用例を説明する斜視図である。
【００３６】
簡易フェンス１は、シート状のフェンス本体１０と、下保持部材２１，上保持部材２２と、連結機構３０とを備えて構成されている。
【００３７】
フェンス本体１０は、略長方形状に形成されていて、載置面となる例えば体育館の床面Ｆ（図１（Ｂ），（Ｃ）参照。）に載せられる下端部１１と、この下端部１１の上方に配置されて下端部１１に対向する上端部１２と、下端部１１及び上端部１２のそれぞれの一方の端縁を上下方向に連結する始端部１３と、下端部１１及び上端部１２のそれぞれの他方の端縁を上下方向に連結する終端部１４とを有している。これら下端部１１、上端部１２、始端部１３、終端部１４は、全体形状が略長方形状のフェンス本体１０の各辺に対応している。ここで、図１（Ｂ）に示すように、フェンス本体１０における、下端部１１及び上端部１２に沿った方向を長さ方向、また、始端部１３及び終端部１４に沿った方向を高さ方向とする。なお、図１（Ｂ）では、フェンス本体１０の長さをＬ、高さをＨで示している。
【００３８】
フェンス本体１０は、下端部１１に沿って下折り返し部１５を有し、また、上端部１２に沿って上折り返し部１６を有している。下折り返し部１５は、図１（Ａ）に示す下端縁１５ａを、谷折り線１５ｂを基準として上側に谷状に折り返して接合線１５ｃに接合することによって形成されている。これにより、下折り返し部１５は、下端部１１に沿って長さ方向に延びる細長い空間が形成されることになる。上折り返し部１６についても同様である。すなわち、上折り返し部１６は、図１（Ａ）に示す上端縁１６ａを、谷折り線１６ｂを基準として下側に谷状に折り返して接合線１６ｃに接合することによって形成されている。これにより、上折り返し部１６は、上端部１２に沿って長さ方向に延びる細長い空間が形成されることになる。
【００３９】
上述の下折り返し部１５の細長い空間には、後述する下保持部材２１が挿入され、また、上折り返し部１６の細長い空間には、後述する上保持部材２２が挿入されている。なお、上述の接合としては、例えば、縫合、熱溶着、接着剤を使用した接着等から選択した方法を採用することができる。この接合方法の選択は、フェンス本体１０の材質によって選択すればよく、例えば、フェンス本体１０が布製の場合には、縫合を採用し、合成樹脂性のシートの場合には、熱溶着や接着を採用すればよい。
【００４０】
フェンス本体１０には、下端部１５側の複数箇所に、それぞれ一対のハトメ１７が形成されている。これらハトメ１７に紐や鎖を通すことで、例えば、貴重品や身の回りの小物をしばりつけておくことができる。これにより、貴重品や身の回り品を紛失を防止することができる。なお、ハトメ１７の形成箇所や形成個数は任意であり、下端部１５側だけでなく、上端部１６側にも設けたり、あるいや上端部１６側だけに設けたりするようにしてもよい。つまり、ハトメ１７は、必要に応じて任意の箇所に任意の個数だけ設けることができる。
【００４１】
下保持部材２１、上保持部材２２は、例えば、フォルテ（登録商標）によって形成することができる。このフォルテは、ポリエチレンシートであって、金属代替性質を有する形状保持材である。つまり、フォルテは、針金のように自在に折り曲げることができ、また、折り曲げた際には曲げ戻りがほとんどなく、さらに、変形後にはその形状を保持することができる。下保持部材２１及び上保持部材２２は、適宜な幅のテープ状のフォルテを、下折り返し部１５及び上折り返し部１６の細長い空間に挿通させて構成する。このような下保持部材２１、上保持部材２２は、下折り返し部１５及び上折り返し部１６に対する挿脱（着脱）が容易であり、例えば、簡易フェンス１の不使用時の、フェンス本体１０を折り畳んだり丸めたりする際には、これらの妨げにならないように、下折り返し部１５及び上折り返し部１６から引き抜くようにするとよい。一方、下保持部材２１及び上保持部材２２は、下折り返し部１５及び上折り返し部１６に挿入された際には、上述した性質に基づいて、フェンス本体１０の形状を保持するとともに、フェンス本体１０の変形を容易にしている。
【００４２】
連結機構３０としては、相互に係脱可能な凸側３１と凹側３２とを有する面ファスナを使用することができる。フェンス本体１０の内面（表面）Ａには、始端部１３近傍に、面ファスナの凸側３１が、上下（高さ方向）３段で、左右（長さ方向）２列に設けられている。一方、フェンス本体１０の外面（裏面）Ｂ（内面Ａの反対の面）には、終端部１４近傍の、上述の凸側３１に対応する位置に、面ファスナの凹側３２が、同じく上下３段で、左右２列に設けられている。ここで、連結機構３０を構成する面ファスナの凸側３１及び凹側３２を、長さ方向に沿って長く設けることで、相互の係合位置を長さ方向の調整することができるので、両者を係合させて閉じた空間を構成する際に、その大きさを簡単に調整することができる。
【００４３】
なお、面ファスナとして、１つの面に凸側と凹側とを有するものを使用した場合には、上述のように、凸側３１と凹側３２とを区別することなく、同じものを上述した所定の位置に設ければよい。
【００４４】
なお、連結機構３０としては、上述の面ファスナに限らず、例えば、スナップ、ボタン、ホック、フック等の任意のものが使用可能であり、また、これらのうちから複数種のものを組み合わせて使用するようにしてもよい。
【００４５】
上述のフェンス本体１０は、例えば、高さＨについては、４０ｃｍを中心として、３０〜５０ｃｍ、さらに好ましくは３５〜４５ｃｍ程度に設定され、また、長さＬについては、２８０ｃｍ程度に設定されている。高さＬが３０ｃｍ未満の場合には、標準的な大人Ｍが寝そべった状態で使用する場合に、視線をさえぎることができなくなるおそれがあり、一方、５０ｃｍを超えた場合には、簡易フェンス１の内側から外側に出たり、また、この逆に外側から内側に入ったりする際に、簡易フェンス１の情報を簡単に跨ぐことができなくなるおそれがある。以上より、高さＬについては、３０〜５０ｃｍが好適であり、さらに好ましくは３５〜４５ｃｍとするとよい。
【００４６】
また、フェンス本体１０の長さＬについては、フェンス本体１０を折り畳んだり丸めたりすることを考慮すると、２８０ｃｍ程度に抑えることが好ましい。長さＬを２８０ｃｍに設定すると、例えば、図１（Ｃ）に示すように、平均的な体格の大人Ｍが寝そべった状態でその周囲を囲む場合には、２枚の簡易フェンス１を使用することになる。この場合、一方の簡易フェンス１の外側Ｂの終端部１４に設けた面ファスナの凹側３２を、他方の簡易フェンス１の内側の始端部１３の凸側３１に係合させることで２枚の簡易フェンス１を連結し、２枚の簡易フェンス１で楕円形を形成した後、一方の簡易フェンス１の内側Ａの始端部１３の凸側３１に他方のフェンス１の外側Ｂの終端部１４の凹側３２を係合させることにより、全体として楕円形のフェンスを構成し、フェンスで囲まれた閉空間Ｒを構成することができる。なお、ここで閉空間とは、床面Ｆ上の所定の領域を略平面的に囲むという意味であり、上方に向かっては、開口部を有することになる。
【００４７】
フェンス本体１０は、上述のように、シート状部材で形成されているので、フェンス本体１０自体では、自己形状保持力は有していない。このような場合であっても、２枚の簡易フェンス１を楕円形に構成することと、また、上述のように、下折り返し部１５に挿入した下保持部材２１及び上折り返し部１６に挿入した上保持部材２２が形状保持力を有していることとで、全体として、形状保持力を有することが可能となる。さらに、下保持部材２１及び上保持部材２２が屈曲自在であるので、屈曲させたり湾曲させたりすることで、比較的自由に全体の形状を変えたり、大きさを変えたりすることができる。
【００４８】
なお、上述では、２枚の簡易フェンス１を連結して大きなフェンスを構成する例を説明したが、例えば、さらに大きなフェンスが必要な場合には、３枚以上の簡易フェンス１を連結してフェンスを構成するようにしてもよい。また、逆に、囲う空間が狭くてよい場合には、１枚の簡易フェンス１を円形等に形作って小さいフェンスを作るようにしてもよい。
＜実施形態２＞
【００４９】
図２を参照して、本発明を適用した実施形態２に係る簡易フェンス２について説明する。ここで、図２（Ａ）は、下折り返し部１５及び上折り返し部１６が展開された状態で、さらに、全体が伸長された状態の簡易フェンス２を内面（表面）Ａ側から見た正面図である。図２（Ｂ）は、完成（仕上がり）状態の簡易フェンス２の伸長した状態を内面Ａ側から見た正面図である。ただし、同図では、下折り返し部１５に収納された下保持部材２１、及び上折り返し部１６に収納された上保持部材２２を太い実線で図示している。図２（Ｃ）は、簡易フェンス２の上面図である。図２（Ｄ）は、簡易フェンス２を２枚使用して大きなフェンスを構成した使用例を説明する斜視図である。
【００５０】
なお、図２に示す簡易フェンス２は、図１に示す実施形態１の簡易フェンス１に、さらに、プリーツ部１８を付加したものであり、それ以外の構成については、簡易フェンス１と同様であるので、同じ符号を付して重複説明は省略する。
簡易フェンス２は、フェンス本体１０Ａに複数のプリーツ部１８が形成されている。各プリーツ部１８は、フェンス本体１０Ａの一部を折り返して接合することにより、形成されている。すなわち、図２（Ａ）に示すように、プリーツ部１８は、高さ方向に延びる谷折り線１８ａでフェンス本体１０Ａの一部を折り返し、さらに、接合線１８ｂと接合線１８ｃとを接合させることで構成されている。こうして形成されたプリーツ部１８は、フェンス本体１０Ａの高さ方向の全体にわたって形成され、これに伴い、プリーツ部１８の内側には、高さ方向（上下方向）に貫通された空間が形成される。
【００５１】
図２に示す例では、プリーツ部１８は、フェンス本体１０Ａの始端部１３と終端部１４と、さらに、始端部１３と終端部１４との間を７等分する位置のそれぞれとに形成されていて、全体で、８つが形成されている。ここで、フェンス本体１０Ａの長さＬが例えば２８０ｃｍであるとすると、隣接する２つのプリーツ部１８は、４０ｃｍ間隔で形成されることになる。つまり、２つのプリーツ部１８間を１区画とすると、１区画の幅Ｗは、４０ｃｍとなる。
【００５２】
本実施形態の簡易フェンス２は、例えば、２つのプリーツ部１８間では、フェンス本体１０Ａを平面状に構成し、プリーツ部１８に対応する位置で屈曲させて使用することができる。つまり、１区画を１つの単位として屈曲させて使用することが容易となる。これにより、簡易フェンス２によって構成する閉空間の形状や大きさの変更が容易となる。
【００５３】
図２（Ｄ）に、上述構成の２枚の簡易フェンス２を、連結機構３０を使用して連結して使用する例を示す。なお、連結機構３０を使用した連結方法は、図１（Ｃ）に示すものと同様である。
【００５４】
本実施形態の簡易フェンス２によれば、上述の実施形態１の簡易フェンス１の効果に加え、さらに、フェンス本体１０Ａの全高にわたって形成されたプリーツ部１８を複数設けてあるので、これらプリーツ部１８が補強部材として作用するため、フェンス本体１０Ａの形状保持力が向上する。
【００５５】
さらに、これらプリーツ部１８は、図３，図４に示すような実施態様にも利用することができる。
【００５６】
図３（Ａ）は、２枚の簡易フェンス２で形成したフェンスの上方の開口部を、シート状のカバー４２で閉鎖する状態を説明する図である。また、図３（Ｂ）は、開口部全体をカバー４２で閉鎖した状態を説明する図である。また、図３（Ｃ）は、カバー４２の一部をまくりあげて、開口部の一部を開放した状態を説明する図である。
【００５７】
プリーツ部１８に筒状の支柱４１を挿入し、支柱４１の下端を床面（載置面）Ｆに接触させるとともに、上端をプリーツ部１８から上方に突出させて突出部分を設ける。一方、カバー４２は、開口部よりも少し大きく形成されていて、周端縁には、上述の支柱４１の突出部分が挿脱可能なハトメ４２ａを設けておく。カバー４２で開口部を覆うには、開口部にカバー４２をかけて、ハトメ４２ａに支柱４１の突出部分を挿入する。これにより、開口部を簡単に覆って、他人の視線を完全に遮断することができる。また、図３（Ｃ）に示すように、大人Ｍの顔に対応する部分のハトメ４２ａをいくつか外すことにより、開口部の一部を開放することができる。
【００５８】
図４を参照して、プリーツ部１８の他の使用例を説明する。同図に示す例では、載置面が土，砂等の地面Ｇである場合に、この地面Ｇに、２枚の簡易フェンス２でフェンスを構築する場合を示している。プリーツ部１８には、先端４３ａが尖った支柱４３を矢印Ｐ方向に挿入し、その先端４３ａを地面Ｇに突き刺すようにする。他のプリーツ部１８についても同様である。
【００５９】
これにより、土や砂等の地面Ｇにフェンスをしっかりと固定することができる。図４に示す例は、簡易フェンス２を例えば芝生の広場や海岸の砂浜でレジャー用に使用する場合に好適である。
＜実施形態３＞
【００６０】
図５を参照して、本発明を適用した実施形態３に係る簡易フェンス３について説明する。ここで、図５（Ａ）は、下折り返し部１５及び上折り返し部１６が展開された状態で、さらに、全体が伸長された状態の簡易フェンス３を内面（表面）Ａ側から見た正面図である。図５（Ｂ）は、完成（仕上がり）状態の簡易フェンス３の伸長した状態を内面Ａ側から見た正面図である。ただし、同図では、下折り返し部１５に収納された下保持部材２１、及び上折り返し部１６に収納された上保持部材２２を太い実線で図示している。図５（Ｃ）は、簡易フェンス３の上面図である。図５（Ｄ）は、簡易フェンス３を２枚使用して大きなフェンスを構成した使用例を説明する斜視図である。図５（Ｅ）は、ハトメ１７に紐等を用いて書類Ｇ１等を吊るした例を示す図である。図５（Ｆ）は、ポケット部１９に書類Ｇ２等を収納した例を示す図である。
【００６１】
なお、図５に示す簡易フェンス３は、図２に示す実施形態２の簡易フェンス２に、さらに、ポケット部１９を付加したものであり、それ以外の構成については、簡易フェンス２と同様であるので、同じ符号を付して重複説明は省略する。
【００６２】
ポケット部１９は、フェンス本体１０Ｂの下端側を、長さ方向に延びる谷折り線１９ａを基準に上側に谷状に折り返し、接合線１９ｂを接合線１９ｃに接合させることにより、長さ方向の全長にわたって形成することができる。なお、本実施形態では、上述のようにしてポケット部１９を形成すると、同時に、下折り返し部１５も形成することができる。
【００６３】
なお、本実施形態では、フェンス本体１０Ｂの始端部１３の取り付ける６つの面ファスナの凸側３１のうち、図５（Ａ）に示す状態では、上端部１６側の２つは内面Ａ側に設け、残りの４つの凸側３１は外面Ｂ側に設ける。これら４つの凸側３１は、ポケット１９に相当する部分に取り付けられていて、ポケット１９の形成後の、図５（Ｂ）に示す状態では、内面Ａ側に位置することになる。
【００６４】
こうして形成されたポケット部１９は、図５（Ｄ），（Ｆ）に示すように、書類Ｇ２を収納したり、身の回りの小物（不図示）を収納したりして自由に使用することができる。
【００６５】
なお、ポケット部１９を形成することにより、フェンス本体１０Ｂ全体を補強して、形状保持力を向上させることにもなる。
＜実施形態４＞
【００６６】
図６を参照して、本発明を適用した実施形態４に係る簡易フェンス２Ａについて説明する。ここで、図６は、簡易フェンス２Ａの使用例を説明する図である。
【００６７】
同図に示す簡易フェンス２Ａは、基本的な構成は、図２に示す簡易フェンス２と同じである。簡易フェンス２Ａは、簡易フェンス２よりも長さＬを長く構成して、１枚で大人Ｍを囲うことができるようにしたものである。
【００６８】
この簡易フェンス２Ａによれば、２枚の簡易フェンス２を連結してフェンスを構成する場合と異なり、１枚でフェンスを構成することができるので、２枚を連結する作業を省略することができる。
【００６９】
以上の実施形態では、簡易フェンス１，２，３をそれぞれ２枚使用して、フェンスを構成する場合を例に説明したが、上述のように必ずしも２枚に限定されるものではなく、１枚あるいは３枚以上使用してフェンスを構成するようにしてもよい。すなわち、それぞれのフェンス本体の長さＬと、フェンスによって構成すべき閉空間Ｒの大きさとによって、使用枚数が決定される。上述では、閉空間Ｒに大人Ｍが横たわる場合を例に説明したが、これに限らず、例えば、１家族で使用する布団や毛布、身の回り品等を１箇所にまとめ、これらをフェンスによって囲むようにしてもよい。
【００７０】
また、以上の実施形態で説明した下保持部材２１及び上保持部材２２は、必ずしもそれぞれ１本で、フェンス本体の長さＬ（全長）に達する必要はなく、全長を複数本に分割して確保するようにしてもよい。
【００７１】
また、以上の実施形態では、下折返し部１５及び上折り返し部１６は、フェンス本体の長さＬの全長にわたって連続して形成されるように説明したが、これに限らず、長さＬの全長に対して、複数のものを間欠的に設けるようにしてもよい。
【符号の説明】
【００７２】
１  （実施形態１の）簡易フェンス
２  （実施形態２の）簡易フェンス
２Ａ  （実施形態４の）簡易フェンス
３  （実施形態３の）簡易フェンス
１０，１０Ａ，１０Ｂ  フェンス本体
１１  下端部
１２  上端部
１３  始端部
１４  終端部
１５  下折り返し部
１６  上折り返し部
１７  ハトメ
１８  プリーツ部
１９  ポケット部
２１  下部支持部材
２２  上部支持部材
３０  連結機構
３１  面ファスナの凸側
３２  面ファスナの凹側
Ｆ  床面（載置面）
Ｇ  地面（載置面）
Ｈ  高さ
Ｌ  長さ
Ｒ  閉空間
【図１】
2012213461.tif 000003
【図２】
2012213461.tif 000004
【図３】
2012213461.tif 000005
【図４】
2012213461.tif 000006
【図５】
2012213461.tif 000007
【図６】
2012213461.tif 000008